(57)【要約】      （修正有）【課題】動画の内容への興味と理解をより促すことが可能な動画再生装置を提供する。【解決手段】問い合わせ画面制御部２０１は、問い合わせ画面を表示部に表示する。質問画面制御部２０３は、ユーザにより質問開始キーが押下されると、質問画面を前記表示部に表示する。回答画面制御部２０４は、前記質問画面の表示中に、複数の回答キーのうち、ユーザにより特定の回答キーが押下されると、当該特定の回答キーの回答と、前記質問の回答とを照合し、当該照合結果を示す回答画面を前記表示部に表示する。集計結果制御部２０５は、前記回答画面の表示の後に、次の質問画面が存在する場合、当該次の質問画面を前記表示部に表示させ、次の質問画面が存在しない場合、前記照合結果を集計して、当該集計した照合結果を示す集計結果画面を前記表示部に表示する。動画再生制御部２０６は、前記集計結果画面の表示の後、又は、最初の質問画面の表示の前において、ユーザにより動画再生キーが押下されると、前記テーマに沿った動画を前記表示部に再生する。【選択図】図２
0003214578.tif 000002
【実用新案登録請求の範囲】
【請求項１】
所定のテーマに関係する内容の質問を開始するか否かの問い合わせ画面を表示部に表示する問い合わせ画面制御部と、
前記問い合わせ画面の表示中に、ユーザにより質問開始キーが押下されると、前記質問を表示した質問画面を前記表示部に表示する質問画面制御部と、
前記質問画面の表示中に、当該質問画面の質問の回答のための複数の回答キーのうち、ユーザにより特定の回答キーが押下されると、当該特定の回答キーの回答と、前記質問の回答とを照合し、当該照合結果を示す回答画面を前記表示部に表示する回答画面制御部と、
前記回答画面の表示の後に、次の質問画面が存在する場合、当該次の質問画面を前記表示部に表示させ、次の質問画面が存在しない場合、前記照合結果を集計して、当該集計した照合結果を示す集計結果画面を前記表示部に表示する集計結果制御部と、
前記集計結果画面の表示の後、又は、最初の質問画面の表示の前において、ユーザにより動画再生キーが押下されると、前記テーマに沿った動画を前記表示部に再生する動画再生制御部と、
を備える動画再生装置。
【考案の詳細な説明】
【技術分野】
【０００１】
本考案は、動画再生装置に関し、詳しくは、アンケートやクイズ等の質問と動画とを組み合わせることにより、ユーザに動画の内容への興味と理解をより促すことが可能なブック型の動画再生装置に関する。
【背景技術】
【０００２】
従来、アンケートやクイズ等の質問によって、ユーザに知識の理解を促すための技術は存在する。
【０００３】
例えば、特表２００４−５１４２１０号公報（特許文献１）には、ユーザを調査するための装置が開示されている。この装置は、グラフィックディスプレイ、データ入力デバイス及びメモリを有する携帯型コンピュータデバイスと、グラフィックディスプレイの質問と共にコンピュータデバイスのメモリ内に格納される複数の質問を有し、ユーザに対して複数の印と共にライカートスケールを含む応答の選択を有する電子アンケート表とを具備する。そして、データ入力デバイスは、グラフィックディスプレイ上の質問に応答してユーザによって選択される応答の選択対象を受け取る。これにより、組織によって提供されるサービスの質について、顧客の認知を収集し、報告することが出来るとしている。
【０００４】
又、特開２０１６−４５６３９号公報（特許文献２）には、コンピュータが実行する他のプログラムに基づき表示デバイスに表示される特定の操作オブジェクトであって他のプログラムの夫々によって表示される操作オブジェクトの夫々について、この操作オブジェクトに対し、ユーザによる所定操作がなされたことを条件に、コンピュータにより実行されるプログラムが開示されている。このプログラムは、所定操作がなされた操作オブジェクトに対応する他のプログラムである起動元プログラムに関する識別情報を取得する取得手段と、起動元プログラムに関する識別情報に基づき再生する動画を切り替えるようにして、動画を、表示デバイスを用いて再生する再生制御手段とをコンピュータに実現させる。これにより、従来の硬直的な動画再生の改善を図り、複数のアプリケーションプログラムの夫々に対応して柔軟な動画再生を行うことが出来るとしている。
【０００５】
一方、本出願人は、既に、実用新案登録第３１７２１２３号公報（特許文献３）に示すブック型動画再生機器と、実用新案登録第３１７８３６７号公報（特許文献４）に示す動画再生装置を実用新案登録出願している。
【先行技術文献】
【特許文献】
【０００６】
【特許文献１】特表２００４−５１４２１０号公報
【特許文献２】特開２０１６−４５６３９号公報
【特許文献３】実用新案登録第３１７２１２３号公報
【特許文献４】実用新案登録第３１７８３６７号公報
【考案の概要】
【考案が解決しようとする課題】
【０００７】
上述した動画再生装置は、例えば、医療分野や旅行分野等、詳細な説明が必要であり、且つ、手軽にコンテンツを知りたい分野では、大変重宝するツールである。
【０００８】
しかしながら、単に動画を再生するだけの装置では、ユーザの興味が湧き難く、ユーザの理解が得難いという課題がある。例えば、動画は、ユーザの興味や理解と無関係に自動的に再生されるため、興味や理解の無いユーザが動画を再生させても、そのまま放置したり、最後まで動画を見なかったりする。そのため、ユーザの興味や理解を促すための工夫が必要となる。
【０００９】
特許文献１に記載の技術では、質問にポイントがあり、動画との関係性が薄い。特許文献２−４に記載の技術では、動画再生にポイントがあり、質問との関係性が薄い。そのため、ユーザの興味や理解をより促し、深めるための技術が求められている。
【００１０】
そこで、本考案は、前記課題を解決するためになされたものであり、アンケートやクイズ等の質問と動画とを組み合わせることにより、ユーザに動画の内容への興味と理解をより促すことが可能なブック型の動画再生装置を提供することを目的とする。
【課題を解決するための手段】
【００１１】
本考案者は、鋭意研究を重ねた結果、本考案に係る新規な動画再生装置を完成させた。即ち、本考案に係る動画再生装置は、問い合わせ画面制御部と、質問画面制御部と、回答画面制御部と、集計結果制御部と、動画再生制御部と、を備える。問い合わせ画面制御部は、所定のテーマに関係する内容の質問を開始するか否かの問い合わせ画面を表示部に表示する。質問画面制御部は、前記問い合わせ画面の表示中に、ユーザにより質問開始キーが押下されると、前記質問を表示した質問画面を前記表示部に表示する。回答画面制御部は、前記質問画面の表示中に、当該質問画面の質問の回答のための複数の回答キーのうち、ユーザにより特定の回答キーが押下されると、当該特定の回答キーの回答と、前記質問の回答とを照合し、当該照合結果を示す回答画面を前記表示部に表示する。集計結果制御部は、前記回答画面の表示の後に、次の質問画面が存在する場合、当該次の質問画面を前記表示部に表示させ、次の質問画面が存在しない場合、前記照合結果を集計して、当該集計した照合結果を示す集計結果画面を前記表示部に表示する。動画再生制御部は、前記集計結果画面の表示の後、又は、最初の質問画面の表示の前において、ユーザにより動画再生キーが押下されると、前記テーマに沿った動画を前記表示部に再生する。
【考案の効果】
【００１２】
本考案によれば、アンケートやクイズ等の質問と動画とを組み合わせることにより、ユーザに動画の内容への興味と理解をより促すことが可能となる。
【図面の簡単な説明】
【００１３】
【図１】本考案に係る閉状態と開状態のブック型の動画再生装置を示す概念図である。
【図２】本考案の実施形態に係る動画再生装置の機能ブロック図である。
【図３】本考案の実施形態に係る動画再生装置の実行手順を示すためのフローチャートである。
【図４】本考案の実施形態に係るカバー部の裏面の一例を示す図（図４Ａ）と、本考案の実施形態に係る問い合わせ画面の一例を示す図（図４Ｂ）と、である。
【図５】本考案の実施形態に係る第一の質問画面の一例を示す図（図５Ａ）と、本考案の実施形態に係る第一の回答画面の一例を示す図（図５Ｂ）と、である。
【図６】本考案の実施形態に係る第二の質問画面の一例を示す図（図６Ａ）と、本考案の実施形態に係る第二の回答画面の一例を示す図（図６Ｂ）と、である。
【図７】本考案の実施形態に係る第三の質問画面の一例を示す図（図７Ａ）と、本考案の実施形態に係る第三の回答画面の一例を示す図（図７Ｂ）と、である。
【図８】本考案の実施形態に係る集計結果画面の一例を示す図（図８Ａ）と、本考案の実施形態に係る動画の一例を示す図（図８Ｂ）と、である。
【図９】本考案の実施形態に係る問い合わせ画面の一例を示す図（図９Ａ）と、本考案の実施形態に係る問い合わせ画面の一例を示す図（図９Ｂ）と、である。
【考案を実施するための形態】
【００１４】
以下に、添付図面を参照して、本考案の実施形態について説明し、本考案の理解に供する。尚、以下の実施形態は、本考案を具体化した一例であって、本考案の技術的範囲を限定する性格のものではない。
【００１５】
本考案に係る動画再生装置１００は、図１に示すように、ブック型であり、様々な産業分野における商業用ビデオブックとして利用される。例えば、本考案に係る動画再生装置１００は、医療分野における疾患の説明、医療用医薬品の説明、医療用機器や器具の説明、旅行分野における各国の説明、教育分野における工場や自動車、飛行機、地球儀の説明、産業機器の説明、家電やオフィス用品の説明、商品の紹介や操作の説明等に用いられる。宣伝用資料として使用されても構わない。
【００１６】
ここで、本考案に係る動画再生装置１００は、ブック形状の本体部１０１（下面部）と、当該本体部１０１の表面Ｓ１を覆うカバー部１０２（ブックカバー部、上面部）とを備えている。図１に示すように、カバー部１０２を前記本体部１０１の表面Ｓ１へ閉じると、全体としてブック形状となり、カバー部１０２を本体部１０１の表面Ｓ１から開くと、丁度、見開き状態となって、ユーザは、本体部１０１の表面Ｓ１と、カバー部１０２の裏面Ｓ２（つまり、本体部１０１の表面Ｓ１と対面する面）とを同時に確認することが出来る。
【００１７】
又、本考案には、本体部１０１とカバー部１０２とを締めるゴムバンド１０３が設けられ、本考案がブック形状になった際に、ゴムバンド１０３で締めると、カバー部１０２が勝手に開くことが無くなり、扱い易くなる。
【００１８】
本体部１０１とカバー部１０２とを接続する背表紙部１０４には、ゴムバンド１０３の締結部１０３ａと本体部１０１に向かって突出する突出部１０５とが設けられる。突出部１０５に対向する本体部１０１の位置には、図示しない電源部が設けられ、本考案がブック形状になると、背表紙部１０４の突出部１０５が電源部に接触し、自動的に電源部をＯＦＦにする。本考案が見開き状態になると、背表紙部１０４の突出部１０５が電源部から離脱し、自動的に電源部をＯＮにする。
【００１９】
本体部１０１の表面Ｓ１には、画面を表示する表示部１０６（例えば、液晶パネル等）と、操作キー１０７が設けられる。表示部１０６は、本体部１０１に内蔵された記憶媒体（メモリー）のデータによる画面又は動画を表示する。表示部１０６のサイズは、画面や動画の種類に応じて適宜設計される。操作キー１０７には、例えば、複数の回答キー１０７ａと、動画再生キー１０７ｂと、音量を増減させる音量調整キー１０７ｃとが設けられる。ここで、本考案では、回答キー１０７ａに質問開始キーを兼ね備えるように構成している。
【００２０】
本体部１０１の内部には、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を内蔵しており、ＣＰＵは、例えば、操作キー１０７の押下に対応する所定の電気信号を受けて、ＲＡＭを作業領域として利用し、ＲＯＭ等に記憶されているプログラムを実行し、表示部１０６に画面を表示させたり動画を再生させたりする。尚、プログラム言語に特に限定は無い。又、ＣＰＵは、本体部１０１に設けられた音発生部で音声を発生させたり、音量調整キー１０７ｃの押下に応じて音量を調整したりする。後述する図２に示す各部についても、電子回路が各部を実現する。
【００２１】
次に、図２、図３を参照しながら、本考案の実施形態に係る構成及び実行手順について説明する。先ず、ユーザがブック型の動画再生装置１００のカバー部１０２を開いて、見開き状態にすると、背表紙部１０４の突出部１０５が電源部から離脱し、動画再生装置１００の電源が投入される（図３：Ｓ１０１ＹＥＳ）。
【００２２】
ここで、カバー部１０２の裏面Ｓ２には、所定のテーマ（例えば、ここでは、軟膏の塗り方）についての案内４００が表示され、この案内４００には、例えば、図４Ａに示すように、軟膏の正しい塗り方を確認するためのクイズの動作説明４０１と、軟膏の正しい塗り方の動画を再生するための動画再生説明４０２と、軟膏の用法・用量・使用上の注意４０３とが記載されている。具体的には、動作説明４０１には、「○、×ボタンでクイズに答えて、正しい塗り方を確認してみましょう。」が記載され、動画再生説明４０２には、「正しい塗り方を解説した動画もご覧になれます。」が記載されている。これにより、ユーザは、テーマに関するクイズと動画と軟膏の使用方法について認識することが出来る。
【００２３】
又、電源の投入により、動画再生装置１００の本体部１０１の問い合わせ画面制御部２０１は、本体部１０１の記憶部２０２を参照し、予め設定された初期画面を読み出して、本体部１０１の表示部１０６に表示する（図３：Ｓ１０２）。
【００２４】
初期画面は、所定のテーマ（上述では、軟膏の塗り方）に関係する内容の質問を開始するか否かの問い合わせ画面４０４（メニュー画面に相当する）であり、問い合わせ画面４０４には、例えば、図４Ｂに示すように、「ＡＢＣ」軟膏の塗り方に関するクイズの説明４０５と、クイズを開始するための開始の説明４０６とが表示される。具体的には、クイズの説明４０５には、「『ＡＢＣ』軟膏の塗り方に関するクイズが、３問出題されます。挑戦してみましょう！」が表示され、開始の説明４０６には、「○または×ボタンを押してください。クイズが始まります。」が表示される。これにより、ユーザは、クイズの開始方法について認識することが出来る。
【００２５】
ここで、ユーザは、問い合わせ画面４０４を見ながら、質問開始キーを兼ねる回答キー１０７ａ（○ボタンか×ボタンのいずれか）を押下すると、問い合わせ画面制御部２０１は、回答キー１０７ａの押下により、質問開始キーの押下を認識する（図３：Ｓ１０３ＹＥＳ）。すると、本体部１０１の質問画面制御部２０３は、本体部１０１の記憶部２０２のうち、第一の質問画面を参照し、第一の質問を表示した第一の質問画面を表示部１０６に表示する（図３：Ｓ１０４）。
【００２６】
第一の質問画面５００には、例えば、図５Ａに示すように、軟膏の塗り方に関する第一のクイズの説明５０１と、第一のクイズを回答するための回答の説明５０２とが表示される。具体的には、第一のクイズの説明４０１には、「くすりを塗ったあとにべたつかないよう、できる限り少量を薄く伸ばして塗った方がよい。」が表示され、回答の説明５０２には、「○または×ボタンでお答えください。」が表示される。これにより、ユーザは、クイズの内容と回答方法を確認することが出来る。
【００２７】
ユーザが、第一の質問画面５００を見ながら、当該第一の質問画面５００の質問の回答のための複数の回答キー１０７ａのうち、特定の回答キー１０７ａ（例えば、○ボタン）を押下すると、質問画面制御部２０３は、特定の回答キー１０７ａ（○ボタン）の押下を認識する（図３：Ｓ１０５ＹＥＳ）。すると、本体部１０１の回答画面制御部２０４は、第一のクイズに対する特定の回答キー１０７ａの回答（ここでは、○）と、第一のクイズの回答（ここでは、×）とを照合し、当該照合結果（ここでは、不正解）に基づいて、本体部１０１の記憶部２０２を参照し、当該照合結果を示す第一の回答画面を表示部１０６に表示する（図３：Ｓ１０６）。
【００２８】
第一の回答画面５０３には、例えば、図５Ｂに示すように、第一のクイズの回答結果５０４と、第一のクイズの回答の説明５０５と、次のクイズに進むための進行の説明５０６とが表示される。具体的には、第一のクイズの回答結果５０４には、「残念、確認してみましょう」が表示され、進行の説明５０６には、「○または×ボタンを押してください。次の問題に進みます。」が表示される。これにより、ユーザは、第一のクイズの回答を確認し、次のクイズの進行方法を認識することが出来る。
【００２９】
ここで、ユーザが、第一の回答画面５０３を見ながら、次のクイズを進行させるために、複数の回答キー１０７ａのうち、特定の回答キー１０７ａ（例えば、○ボタン）を押下すると、回答画面制御部２０４は、特定の回答キー１０７ａ（○ボタン）の押下を認識し、本体部１０１の集計結果制御部２０５は、本体部１０１の記憶部２０２を参照し、次の質問画面が存在するか否かを判定する（図３：Ｓ１０７）。
【００３０】
ここで、記憶部２０２には、３問の質問画面が予め記憶されているため、集計結果制御部２０５は、次の質問画面が存在すると判定する（図３：Ｓ１０７ＹＥＳ）。すると、集計結果制御部２０５は、第一の回答画面５０３の表示の後に、次の質問画面が存在する場合、当該次の質問画面を表示部１０６に表示させる。具体的には、Ｓ１０４に戻って、質問画面制御部２０３は、次の質問を示す第二の質問画面を参照し、第二の質問を表示した第二の質問画面を表示部１０６に表示する（図３：Ｓ１０４）。
【００３１】
第二の質問画面６００には、例えば、図６Ａに示すように、軟膏の塗り方に関する第二のクイズの説明６０１と、第二のクイズを回答するための回答の説明６０２とが表示される。具体的には、第二のクイズの説明６０１には、「『ＡＢＣ』軟膏は、皮疹があるところだけに塗る。」が表示される。第二の質問画面６００の回答の説明６０２は、第一の質問画面５００の回答の説明５０２と同様である。
【００３２】
ユーザが、第二の質問画面６００を見ながら、複数の回答キー１０７ａのうち、特定の回答キー１０７ａ（例えば、○ボタン）を押下すると、質問画面制御部２０３は、特定の回答キー１０７ａ（○ボタン）の押下を認識し（図３：Ｓ１０５ＹＥＳ）、回答画面制御部２０４は、第二のクイズに対する特定の回答キー１０７ａの回答（○）と、第二のクイズの回答（ここでは、○）とを照合し、当該照合結果（ここでは、正解）に基づいて、当該照合結果を示す第二の回答画面を表示部１０６に表示する（図３：Ｓ１０６）。
【００３３】
第二の回答画面６０３には、例えば、図６Ｂに示すように、第二のクイズの回答結果６０４と、第二のクイズの回答の説明６０５と、次のクイズに進むための進行の説明６０６とが表示される。具体的には、第二のクイズの回答結果６０４には、「正解です」が表示される。第二の回答画面６０３の進行の説明６０６は、第一の回答画面５０３の進行の説明５０６と同様である。
【００３４】
そして、ユーザが、第二の回答画面６０３を見ながら、複数の回答キー１０７ａのうち、特定の回答キー１０７ａ（例えば、○ボタン）を押下すると、回答画面制御部２０４は、特定の回答キー１０７ａ（○ボタン）の押下を認識し、集計結果制御部２０５は、次の質問画面が存在するか否かを判定する（図３：Ｓ１０７）。
【００３５】
ここで、３問の質問画面が存在するため、集計結果制御部２０５は、次の質問画面が存在すると判定する（図３：Ｓ１０７ＹＥＳ）、Ｓ１０４に戻って、質問画面制御部２０３は、最後の質問を示す第三の質問画面を参照し、第三の質問を表示した第三の質問画面を表示部１０６に表示する（図３：Ｓ１０４）。
【００３６】
第三の質問画面７００には、例えば、図７Ａに示すように、軟膏の塗り方に関する第三のクイズの説明７０１と、第三のクイズを回答するための回答の説明７０２とが表示される。具体的には、第三のクイズの説明７０１には、「腕にくすりを塗るときは、縦方向に塗るとよい。」が表示され、その様子を示す画像７０１ａが表示される。第三の質問画面７００の回答の説明７０２は、第一の質問画面５００の回答の説明５０２と同様である。
【００３７】
ユーザが、第三の質問画面７００を見ながら、複数の回答キー１０７ａのうち、特定の回答キー１０７ａ（例えば、○ボタン）を押下すると、質問画面制御部２０３は、特定の回答キー１０７ａ（○ボタン）の押下を認識し（図３：Ｓ１０５ＹＥＳ）、回答画面制御部２０４は、第三のクイズに対する特定の回答キー１０７ａの回答（○）と、第三のクイズの回答（ここでは、×）とを照合し、当該照合結果（ここでは、不正解）に基づいて、当該照合結果を示す第三の回答画面を表示部１０６に表示する（図３：Ｓ１０６）。
【００３８】
第三の回答画面７０３には、例えば、図７Ｂに示すように、第三のクイズの回答結果７０４と、第三のクイズの回答の説明７０５と、次のクイズに進むための進行の説明７０６とが表示される。具体的には、第三のクイズの回答結果７０４には、「残念、確認してみましょう」が表示される。第三の回答画面７０３の進行の説明７０６は、第一の回答画面５０３の進行の説明５０６と同様である。このように、ユーザは、所定のテーマについて予め設定されたクイズの数だけ繰り返しクイズに回答することが出来る。
【００３９】
そして、ユーザが、第三の回答画面７０３を見ながら、複数の回答キー１０７ａのうち、特定の回答キー１０７ａ（例えば、○ボタン）を押下すると、回答画面制御部２０４は、特定の回答キー１０７ａ（○ボタン）の押下を認識し、集計結果制御部２０５は、次の質問画面が存在するか否かを判定する（図３：Ｓ１０７）。
【００４０】
ここで、上述が最後の質問画面であるため、次の質問画面は存在しない。そのため、集計結果制御部２０５は、次の質問画面が存在しないと判定し（図３：Ｓ１０７ＮＯ）、第三の回答画面７０３の表示の後に、次の質問画面が存在しない場合、前記照合結果（ここでは、３問の照合結果であり、「不正解」、「正解」、「不正解」となる）を集計して、当該集計した照合結果を示す集計結果画面を表示部１０６に表示する（図３：Ｓ１０８）。
【００４１】
上述では、第一のクイズの結果が不正解、第二のクイズの結果が正解、第三のクイズの結果が不正解であったため、ユーザの照合結果は、３問中１問正解と集計される。そして、集計結果制御部２０５は、記憶部２０２から、集計結果に対応する集計結果画面を参照し、集計結果画面を表示する。
【００４２】
集計結果画面８００には、例えば、図８Ａに示すように、集計結果８０１（「３問中１問正解」）と、軟膏の塗り方の正しい塗り方の動画の再生を促すための動画再生促し説明８０２とが表示される。動画再生促し説明８０２には、具体的には、「『ＡＢＣ』軟膏の正しい塗り方を動画でご紹介します。『動画を再生』ボタンを押してご覧ください。」が表示される。このように、クイズに回答したユーザであれば、クイズのテーマ「軟膏の塗り方」の沿った動画に興味を示し、動画の再生を促すことが出来る。又、ユーザは、クイズを回答しているため、動画の再生を促すことで、動画の内容への興味や理解を促進し、ユーザに興味を持って動画を楽しんでもらうことが出来る。
【００４３】
ここで、Ｓ１０３に戻るため、ユーザが、回答キー１０７ａを押下せずに（図３：Ｓ１０３ＮＯ）、動画再生キー１０７ｂを押下すると、本体部１０１の動画再生制御部２０６は、動画再生キー１０７ｂの押下を認識し（図３：Ｓ１０９ＹＥＳ）、本体部１０１の記憶部２０２のうち、テーマ「軟膏の塗り方」に沿った動画を参照し、当該動画を表示部１０６に再生する（図３：Ｓ１１０）。
【００４４】
動画８０３には、例えば、図８Ｂに示すように、動画のタイトル８０４と、動画の内容８０５が表示される。動画のタイトル８０４には、具体的には、「『ＡＢＣ』軟膏の塗り方」が表示される。尚、動画再生制御部２０６は、動画の再生中、音発生部で動画に付随する音声を発生させる。このように、ユーザは、動画再生キー１０７ｂの押下により、動画を再生することが出来る。
【００４５】
動画再生制御部２０６は、一度、動画再生キー１０７ｂの押下を認識すると、動画が完了するまで、動画の再生を継続するが、ユーザにより、再度、動画再生キー１０７ｂが押下されると、動画再生制御部２０６は、再生中の動画を一時停止する。これにより、ユーザは、詳しく見たい場面を一時停止してじっくり確認することが出来る。
【００４６】
さて、動画再生制御部２０６が、動画の再生を完了すると、Ｓ１１１へ移行する。ここで、ユーザが、動画を確認し終えて、動画再生装置１００のカバー部１０２を閉じて、ブック形状に戻すと、背表紙部１０４の突出部１０５が電源部に接触し、動画再生装置１００の電源が切断される（図３：Ｓ１１１ＹＥＳ）。これにより、動画再生装置１００の質問と動画の表示を完了する。
【００４７】
尚、Ｓ１０３と、Ｓ１０９と、Ｓ１１１とは、並列しており、例えば、ユーザは、回答キー１０７ａを押下せずに（図３：Ｓ１０３ＮＯ）、動画再生キー１０７ｂを押下せずに（図３：Ｓ１０９ＮＯ）、動画再生装置１００のカバー部１０２を閉じて、動画再生装置１００の電源を切断してもよい（図３：Ｓ１１１ＹＥＳ）。
【００４８】
又、例えば、ユーザは、回答キー１０７ａを押下せずに（図３：Ｓ１０３ＮＯ）、動画再生キー１０７ｂを押下して（図３：Ｓ１０９ＹＥＳ）、先に、動画再生制御部２０６が、動画を再生してもよい（図３：Ｓ１１０）。更に、その後、ユーザが、動画再生装置１００のカバー部１０２を開いたままで（図３：Ｓ１１１ＮＯ）、回答キー１０７ａを押下して（図３：Ｓ１０３ＹＥＳ）、後から、質問画面制御部２０３が、第一の質問画面を表示してもよい（図３：Ｓ１０４）。
【００４９】
このように、動画再生制御部２０６は、集計結果画面８００の表示の後、又は、第一（最初）の質問画面５００の表示の前において、ユーザにより動画再生キー１０７ｂが押下されれば、動画を再生する。これにより、クイズ等の質問と動画とを組み合わせることにより、ユーザに動画の内容への興味と理解をより促すことが可能となる。
【００５０】
尚、本考案の実施形態では、質問をクイズとしたが、これに限らず、アンケートとしても良い。又、質問画面の数に特に限定は無く、１個でもよいし、２個以上であってもよい。更に、集計結果画面の表示の後、又は動画再生終了後に、問い合わせ画面に戻ってもよい。
【００５１】
又、本考案の実施形態では、テーマに関する質問の数は適宜設計される。回答キー１０７ａの数や形状、配置、動画再生キー１０７ｂの形状や配置は、適宜設計変更することが出来る。下記では、変形例を示す。例えば、図９Ａに示すように、問い合わせ画面９００には、アンケートの説明９０１と、アンケートに関係する動画の紹介９０２と、アンケートを開始するための開始の説明９０３とが表示される。具体的には、アンケートの説明には、「（１）（２）（３）（４）で、アンケートに答えてみましょう。」が表示され、動画の紹介９０２には、「アンケートに関して、『ＤＥＦ』を紹介します。『動画再生』ボタンを押してご覧ください。」が表示され、開始の説明９０３には、「（１）（２）（３）（４）ボタンを押してください。アンケートに進みます。」が表示される。このように、アンケート形式でも適用可能であり、回答キー１０７ａも、（１）（２）（３）（４）ボタンに設計してもよい。又、先ず、アンケートに回答してもらってから、動画の再生を促すことも可能である。
【００５２】
又、図９Ｂに示すように、問い合わせ画面９０４には、講習の説明９０５と、講習に関係するテストの紹介９０２とが表示される。具体的には、講習の説明９０５には、「『ＧＨＩ』講習に関して、動画で説明します。『動画再生』ボタンを押してご覧ください。」が表示され、講習に関係するテストの紹介９０２には、「動画終了後に、『ＧＨＩ』講習の理解を確認するためのテストをします。（Ａ）（Ｂ）（Ｃ）ボタンで、テストに答えてみましょう。」が表示される。このように、講習後のテスト形式でも適用可能であり、回答キー１０７ａも、（Ａ）（Ｂ）（Ｃ）ボタンに設計してもよい。又、先ず、講習の動画を再生してもらってから、テストの回答を促すことも可能である。
【００５３】
又、本考案の実施形態では、シンプル形態としているが、更に、テーマに関する模型を設けたり、模型上に点灯部を設けて、質問や動画に合わせて点灯させたりしても良い。又、必要に応じて、ＨＤＤ（Ｈａｒｄ  Ｄｉｓｋ  Ｄｒｉｖｅ）を内蔵したり、ＵＳＢ接続口、ＵＳＢケーブル、イヤホンジャック、デジタル式音量調整ダイヤル、ＤＣ電源ソケット等を適宜設けたりしてもよい。
【００５４】
又、本考案では、更に、コンセントから電力供給を受ける充電スタントを附属させて、動画再生装置１００がその充電スタンドに配置された場合に、当該動画再生装置１００が前記充電スタンドから電力を受けるよう構成しても良い。その際、前記動画再生装置１００と充電スタンドとの接点部には、電極接点と電極バネとがそれぞれ設けられる。
【００５５】
又、本考案の実施形態では、動画再生装置１００が各部を備えるよう構成したが、当該各部を実現するプログラムを記憶媒体に記憶させ、当該記憶媒体を提供するよう構成しても構わない。当該構成では、プログラムを動画再生装置１００に読み出させ、当該動画再生装置１００が各部を実現する。その場合、記録媒体から読み出されたプログラム自体が本考案の作用効果を奏する。さらに、各部が実行するステップをハードディスクに記憶させる方法として提供することも可能である。
【産業上の利用可能性】
【００５６】
以上のように、本考案に係る動画再生装置は、医療分野はもちろん、産業分野における商業用ビデオブック等に有用であり、アンケートやクイズ等の質問と動画とを組み合わせることにより、ユーザに動画の内容への興味と理解をより促すことが可能なブック型の動画再生装置として有効である。
【符号の説明】
【００５７】
１００  動画再生装置
１０１  本体部
１０２  カバー部
１０３  ゴムバンド
１０４  背表紙部
１０５  突出部
１０６  表示部
１０７  操作キー
２０１  問い合わせ画面制御部
２０２  記憶部
２０３  質問画面制御部
２０４  回答画面制御部
２０５  集計結果制御部
２０６  動画再生制御部
【図１】
0003214578.tif 000003
【図２】
0003214578.tif 000004
【図３】
0003214578.tif 000005
【図４】
0003214578.tif 000006
【図５】
0003214578.tif 000007
【図６】
0003214578.tif 000008
【図７】
0003214578.tif 000009
【図８】
0003214578.tif 000010
【図９】
0003214578.tif 000011